【手続補正書】
【提出日】平成28年8月24日(2016.8.24)
【手続補正１】
【補正対象書類名】特許請求の範囲
【補正対象項目名】全文
【補正方法】変更
【補正の内容】
【特許請求の範囲】
【請求項１】
遊技の当否判定を判定する当否判定手段と、
前記当否判定手段による当否判定結果に基づいて演出を表示すると共に前記当否判定結果を図柄で表示するための表示手段と、
前記表示手段に表示する前記演出の演出パターンを、遊技状態に応じて設定する或いは複数の演出パターンの中から選択設定する演出パターン設定手段と、
を備える遊技機において、
前記演出パターン設定手段によって設定される演出には、前記表示手段の表示画面を複数の画面に分割して分割画面による演出を行う分割演出を有し、
前記分割演出を行う分割演出制御手段を備え、
前記分割演出制御手段は、
前記分割画面を構成する複数の画面の中から最終的に選択される最終分割画面を設定する最終分割画面設定手段と、
前記最終分割画面を経由して最終的に行われる最終演出を設定する最終演出設定手段と、
前記最終演出に基づいて前記最終分割画面で表示する表示態様を複数の表示態様から選択する最終分割画面表示態様選択手段と、
前記最終演出に基づいて複数のレベルから一つのレベルを選択するレベル選択手段と、
前記レベル選択手段で選択された前記レベルに基づいて前記複数の表示態様から、他の分割画面用の表示態様を選択する他分割画面表示態様選択手段と、
を備えたことを特徴とする遊技機。
【請求項２】
所定の範囲内で更新しているレベル乱数用カウンタからレベル乱数値を取得するレベル乱数値取得手段を備え、
前記レベル選択手段は、前記最終演出と前記レベル乱数値取得手段によって取得したレベル乱数値に基づいて複数のレベルから一つのレベルを選択することを特徴とする請求項１に記載の遊技機。
【手続補正２】
【補正対象書類名】明細書
【補正対象項目名】０００７
【補正方法】変更
【補正の内容】
【０００７】
請求項２の発明は、請求項１において、所定の範囲内で更新しているレベル乱数用カウンタからレベル乱数値を取得するレベル乱数値取得手段を備え、前記レベル選択手段は、前記最終演出と前記レベル乱数値取得手段によって取得したレベル乱数値に基づいて複数のレベルから一つのレベルを選択することを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】０１３０
【補正方法】変更
【補正の内容】
【０１３０】
本実施例を概念化すると以下のようになる。
（１）遊技の当否判定を判定する当否判定手段と、前記当否判定手段による当否判定結果に基づいて演出を表示すると共に前記当否判定結果を図柄で表示するための表示手段と、前記表示手段に表示する前記演出の演出パターンを、遊技状態に応じて設定する或いは複数の演出パターンの中から選択設定する演出パターン設定手段と、を備える遊技機において、前記演出パターン設定手段によって設定される演出には、前記表示手段の表示画面を複数の画面に分割して分割画面による演出を行う分割演出を有し、前記分割演出を行う分割演出制御手段を備え、前記分割演出制御手段は、前記分割画面を構成する複数の画面の中から最終的に選択される最終分割画面を設定する最終分割画面設定手段と、前記最終分割画面を経由して最終的に行われる最終演出を設定する最終演出設定手段と、前記最終演出に基づいて前記最終分割画面で表示する表示態様を複数の表示態様から選択する最終分割画面表示態様選択手段と、前記最終演出に基づいて複数のレベルから一つのレベルを選択するレベル選択手段と、前記レベル選択手段で選択された前記レベルに基づいて前記複数の表示態様から、他の分割画面用の表示態様を選択する他分割画面表示態様選択手段と、を備えたことを特徴とする
（２）前記複数の表示態様にはそれぞれ演出ポイントが設定され、前記複数のレベルにはそれぞれレベルポイントが設定され、前記分割演出制御手段は、前記レベル選択手段で選択された前記レベルに設定されている前記レベルポイントと前記最終分割画面の表示態様に設定されている前記演出ポイントとを用いて所定の算出により最初の総合ポイントを算出し、前記算出した総合ポイントと前記他分割画面表示態様選択手段で選択された他の分割画面用表示態様の中から選択した一つの表示態様に設定されている前記演出ポイントとを用いて所定の算出により次回の総合ポイントを算出して更新し、前記他分割画面表示態様選択手段で選択された前記他の分割画面用表示態様に未選択の演出が残っている場合、未選択の分割画面用表示態様が無くなるまで所定の算出によって前記総合ポイントの更新を行う総合ポイント算出手段と、前記総合ポイント算出手段によって更新された総合ポイントが所定の値になった際に前記他の分割画面の表示態様を特定表示態様に設定する特定表示態様設定手段と、を備えることを特徴とする（１）に記載の遊技機。
（３）前記レベルポイントと前記最終分割画面の表示態様に設定されている演出ポイントとを用いる所定の算出は、前記レベルポイントに対して前記演出ポイントを減算する算出であり、次回以降の所定の算出は、減算後の前記総合ポイントに対して前記他の分割画面用演出の中から選択した一つの演出に設定されている前記演出ポイントを減算する算出であることを特徴とする（２）に記載の遊技機。
（４）前記分割演出制御手段は、前記表示手段に表示した複数の分割画面の中から前記最終分割画面が何れであるかを示す最終分割画面選択演出を行う最終分割画面選択演出手段と、前記最終分割画面選択演出手段によって行われる前記最終分割画面選択演出による分割画面を前記表示手段に表示した複数の分割画面の中から設定する分割画面選択設定手段と、を備えたことを特徴とする（１）から（３）の何れか一項に記載の遊技機。
（５）前記分割演出制御手段は、前記表示画面の分割数を複数の分割数から選択する分割数選択手段を備えたことを特徴とする（１）から（４）の何れか一項に記載の遊技機。
本実施例は、前記（１）〜（５）により、以下の効果を奏する。
（１）によれば、最も遅くまで演出を続ける最終分割画面以外の他の分割画面の表示態様を、選択したレベルに基づいて複数の表示態様から選択するため、他の分割画面の表示態様がランダムに選択される従来の場合と比べて、他の分割画面の表示態様についても当否判定結果の当たりに対する期待感を高めることが可能となり、興趣を向上させることが可能となる。
（２）及び（３）によれば、選択された表示態様に設定されている演出ポイントと、選択されたレベルに設定されているレベルポイントを用いて更新した総合ポイントが所定の値になった際に他の分割画面の表示態様を特定表示態様に変更するため、興趣をさらに向上させることが可能となる。
（４）によれば、表示手段に表示した複数の分割画面の中からさらに複数の分割画面を選択し、該選択した複数の分割画面の中から最終分割画面が何れであるかを示す最終分割画面選択演出を行うため、興趣をさらに向上させることが可能となる。
（５）によれば、分割画面演出を行う場合の表示画面の分割数を変化させることができるため、興趣をさらに向上させることが可能となる。
このように、本発明では、最も遅くまで演出を続ける最終分割画面以外の他の分割画面の表示態様を、選択したレベルに基づいて複数の表示態様から選択するため、他の分割画面の表示態様がランダムに選択される従来の場合と比べて、他の分割画面の表示態様についても当否判定結果の当たりに対する期待感を高めることが可能となり、興趣を向上させることが可能となる。